(57)【要約】【課題】筐体の薄型化を図ることができるとともに、筐体の内部の発光部から発光された光が筐体における光の放射を意図しない面から漏れにくく、発光効率を向上させることができる携帯電子機器を提供する。【解決手段】第１のケース３０ｂと、板金部材５１が樹脂部材５２にインサート成形されて形成される第２のケース３０ａとが組み合わされて構成される筐体３と、筐体３の内部に設けられる発光部６３と、第１のケース３０ｂ側から筐体３の外部に光を放射する光放射部３０ｃと、透光性を有し、発光部６３から発光された光Ｌを光放射部３０ｃに導光する導光部材７と、を備え、板金部材５１は、第１のケース３０ｂと第２のケース３０ａとが組み合わされた状態の筐体３の内部において、樹脂部材５２から露出しているとともに導光部材７の外面に対向している。【選択図】図６
2010226551.tif 000002
【特許請求の範囲】
【請求項１】
第１のケースと、板金部材が樹脂部材にインサート成形されて形成される第２のケースとが組み合わされて構成される筐体と、
前記筐体の内部に設けられる発光部と、
前記第１のケース側から前記筐体の外部に光を放射する光放射部と、
透光性を有し、前記発光部から発光された光を前記光放射部に導光する導光部材と、
を備え、
前記板金部材は、前記第１のケースと前記第２のケースとが組み合わされた状態の前記筐体の内部において、前記樹脂部材から露出しているとともに前記導光部材の外面に対向している携帯電子機器。
【請求項２】
前記板金部材は、屈曲された屈曲部を有していると共に、当該屈曲部を挟んで第１の露出面及び第２の露出面を有し、当該第１の露出面及び第２の露出面がそれぞれ前記導光部材の外面に対向しており、
前記導光部材は、前記外面として、前記第１の露出面に対向する第１の外面と、前記第２の露出面に対向する第２の外面とを有する請求項１に記載の携帯電子機器。
【請求項３】
前記筐体は、表示部が配置される表示部側筐体を構成し、
前記板金部材は、前記表示部を構成するディスプレイモジュールの背面側に回り込むように屈曲している請求項１又は２に記載の携帯電子機器。
【請求項４】
前記表示部側筐体の内部において前記導光部材の外面に対向する前記板金部材に隣接する領域には、樹脂からなる部材が配置される請求項３に記載の携帯電子機器。
【請求項５】
前記携帯電子機器は、操作部が配置される操作部側筐体と表示部が配置される表示部側筐体とが折り畳み可能に連結されて構成されており、
前記筐体は、前記表示部側筐体を構成し、
前記光放射部は、折り畳まれた状態における前記表示部側筐体の外側に配置され、
前記表示部は、折り畳まれた状態における前記表示部側筐体の内側に配置される請求項１から４のいずれかに記載の携帯電子機器。
【発明の詳細な説明】
【技術分野】
【０００１】
本発明は、携帯電話機などの携帯電子機器に関する。
【背景技術】
【０００２】
携帯電子機器としての携帯電話機において、イルミネーションのために、筐体に光放射窓を設け、筐体の内部に配置されるＬＥＤ（発光部）から発光された光を、光放射窓から放射させる構成が知られている（例えば、下記特許文献１参照）。
【先行技術文献】
【特許文献】
【０００３】
【特許文献１】特開２００８−５９８７３号公報
【発明の概要】
【発明が解決しようとする課題】
【０００４】
しかし、携帯電話機においては、筐体の更なる薄型化が要求されており、また、ＬＥＤの光量も増加している。そのため、ＬＥＤから発光された光が、筐体の外面のうち本来放射を意図しない面から漏れ、発光効率が低下するという問題点があった。この問題点は、携帯電話機以外の携帯電子機器の場合でも同様に生じ、また、ＬＥＤ以外の発光部の場合でも同様に生じ得る。
【０００５】
従って、本発明は、筐体の薄型化を図ることができるとともに、筐体の内部の発光部から発光された光が筐体における光の放射を意図しない面から漏れにくく、発光効率を向上させることができる携帯電子機器を提供することを目的とする。
【課題を解決するための手段】
【０００６】
本発明は、第１のケースと、板金部材が樹脂部材にインサート成形されて形成される第２のケースとが組み合わされて構成される筐体と、前記筐体の内部に設けられる発光部と、前記第１のケース側から前記筐体の外部に光を放射する光放射部と、透光性を有し、前記発光部から発光された光を前記光放射部に導光する導光部材と、を備え、前記板金部材は、前記第１のケースと前記第２のケースとが組み合わされた状態の前記筐体の内部において、前記樹脂部材から露出しているとともに前記導光部材の外面に対向している携帯電子機器に関する。
【０００７】
また、前記板金部材は、屈曲された屈曲部を有していると共に、当該屈曲部を挟んで第１の露出面及び第２の露出面を有し、当該第１の露出面及び第２の露出面がそれぞれ前記導光部材の外面に対向しており、前記導光部材は、前記外面として、前記第１の露出面に対向する第１の外面と、前記第２の露出面に対向する第２の外面とを有することが好ましい。
【０００８】
また、前記筐体は、表示部が配置される表示部側筐体を構成し、前記板金部材は、前記表示部を構成するディスプレイモジュールの背面側に回り込むように屈曲していることが好ましい。
【０００９】
また、前記表示部側筐体の内部において前記導光部材の外面に対向する前記板金部材に隣接する領域には、樹脂からなる部材が配置されることが好ましい。
【００１０】
また、前記携帯電子機器は、操作部が配置される操作部側筐体と表示部が配置される表示部側筐体とが折り畳み可能に連結されて構成されており、前記筐体は、前記表示部側筐体を構成し、前記光放射部は、折り畳まれた状態における前記表示部側筐体の外側に配置され、前記表示部は、折り畳まれた状態における前記表示部側筐体の内側に配置されることが好ましい。
【発明の効果】
【００１１】
本発明によれば、筐体の薄型化を図ることができるとともに、筐体の内部の発光部から発光された光が筐体における光の放射を意図しない面から漏れにくく、発光効率を向上させることができる携帯電子機器を提供することができる。
【図面の簡単な説明】
【００１２】
【図１】本発明の一実施形態の携帯電話機１を開状態で示す斜視図である。
【図２】（Ａ）は、本発明の一実施形態の携帯電話機１を閉状態で示す斜視図であり、（Ｂ）は、（Ａ）に示す携帯電話機１を厚み方向に視た部分拡大図である。
【図３】表示部側筐体３について、フロントケース３０ａからリアケース３０ｂを分離させた状態を示す分解斜視図である。
【図４】フロントケース３０ａからＬＥＤモジュール６を分離させた状態を示す分解斜視図である。
【図５】フロントケース３０ａにおける上端部近傍の内面側を示す部分拡大斜視図である。
【図６】図２に示すＡ−Ａ線断面図である。
【図７】図３に示すＢ−Ｂ線断面図である。
【図８】ＬＥＤモジュール６を、図４に示す側の反対側から視た斜視図である。
【発明を実施するための形態】
【００１３】
以下、本発明の実施形態について、図面を参照しながら説明する。まず、本発明の携帯電子機器の一実施形態である携帯電話機１の基本構造について、図１及び図２を参照しながら説明する。
図１は、本発明の一実施形態の携帯電話機１を開状態で示す斜視図である。図２（Ａ）は、本発明の一実施形態の携帯電話機１を閉状態で示す斜視図であり、図２（Ｂ）は、（Ａ）に示す携帯電話機１を厚み方向に視た部分拡大図である。
【００１４】
図１及び図２に示すように、本実施形態の携帯電話機１は、折り畳み型の携帯電話機１であって、略直方体形状の操作部側筐体２と、略直方体形状の表示部側筐体３と、操作部側筐体２と表示部側筐体３とを連結する連結部４と、を備える。
【００１５】
操作部側筐体２の上端部と表示部側筐体３の下端部とは、連結部４を介して開閉可能（折り畳み可能）に連結される。つまり、連結部４は、表示部側筐体３と操作部側筐体２とを開閉軸を中心に開閉可能に連結する。携帯電話機１は、連結部４を介して連結された操作部側筐体２と表示部側筐体３とが相対的に回転（回動）されることにより、操作部側筐体２と表示部側筐体３とが互いに開いた状態（開状態、図１参照）や、操作部側筐体２と表示部側筐体３とが折り畳まれた状態（閉状態、図２参照）に変形される。
【００１６】
本実施形態の各構成部材の説明においては、携帯電話機１を図２に示す折り畳まれた状態とした場合に、連結部４からその反対側に向かう方向を「長手方向Ｄ１」又は「第１方向Ｄ１」といい、長手方向Ｄ１及び厚み方向Ｄ３と直交する方向を「幅方向Ｄ２」又は「第２方向Ｄ２」という。
【００１７】
まず、操作部側筐体２について説明する。操作部側筐体２は、外郭を形成するフロントケース２１及びリアケース２２を備える。フロントケース２１は、操作部側筐体２の前面２ａ側を構成する。操作部側筐体２の前面２ａは、携帯電話機１が折り畳まれた状態で表示部側筐体３と向かい合う面である。リアケース２２は、操作部側筐体２における前面２ａと反対側の面である背面２ｂ側を構成する。
【００１８】
フロントケース２１は、操作部としての操作キー群１１が前面２ａに露出するように構成される。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、を有する。
【００１９】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーがユーザにより押圧されることで、各キーに割り当てられている機能に応じた動作が実行される。
【００２０】
操作部側筐体２の前面２ａには、携帯電話機１のユーザが通話時に発した音声が入力される音声入力部１２が配置される。音声入力部１２は、操作部側筐体２の長手方向Ｄ１における連結部４とは反対側の端部（下端部）の近傍に配置される。
【００２１】
操作部側筐体２の側面には、例えば、外部機器（例えば、ホスト装置）とデータの送受信を行うためのインターフェースや、ヘッドホン／マイク端子、着脱可能な外部メモリのインターフェースや、バッテリを充電するための充電端子などが設けられる。
【００２２】
次に、表示部側筐体３について説明する。図１及び図２に示すように、表示部側筐体３は、外郭を形成するフロントケース（第２のケース）３０ａ、カバー部材３３及びリアケース（第１のケース）３０ｂを備える。フロントケース３０ａ及びカバー部材３３は、表示部側筐体３の前面３ａ側を構成する。表示部側筐体３の前面３ａは、携帯電話機１が折り畳まれた状態で操作部側筐体２と向かい合う面である。リアケース３０ｂは、表示部側筐体３における前面３ａと反対側の面である背面３ｂ側を構成する。
【００２３】
表示部側筐体３の内部には、各種情報を表示させるディスプレイモジュールとしてのメイン液晶モジュール３４が配置されている。メイン液晶モジュール３４の一方の面には、表示部としてのメイン表示部３４ａが設けられる。メイン表示部３４ａは、折り畳まれた状態における表示部側筐体３の内側に配置される。メイン表示部３４ａは、全部又は一部が透明なカバー部材３３を介して、表示部側筐体３の前面３ａ側から視認可能となっている。
【００２４】
また、フロントケース３０ａには、通話の相手側における音声を出力する音声出力部３１が配置される。音声出力部３１は、表示部側筐体３の長手方向Ｄ１における連結部４とは反対の端部側に配置される。
【００２５】
メイン液晶モジュール３４は、液晶パネルと、液晶パネルを駆動する駆動回路と、液晶パネルの背面側から光を照射するバックライトとを有する。
【００２６】
続けて、図３から図８を参照しながら、表示部側筐体３の内部構造について更に説明する。図３は、表示部側筐体３について、フロントケース３０ａからリアケース３０ｂを分離させた状態を示す分解斜視図である。図４は、フロントケース３０ａからＬＥＤモジュール６を分離させた状態を示す分解斜視図である。図５は、フロントケース３０ａにおける上端部近傍の内面側を示す部分拡大斜視図である。図６は、図２に示すＡ−Ａ線断面図である。図７は、図３に示すＢ−Ｂ線断面図である。図８は、ＬＥＤモジュール６を、図４に示す側の反対側から視た斜視図である。
【００２７】
図３から図８に示すように、表示部側筐体３は、リアケース３０ｂと、ＬＥＤモジュール６と、導光部材７と、フロントケース３０ａと、メイン液晶モジュール３４と、カバー部材３３と、を備える。表示部側筐体３においては、リアケース３０ｂ、ＬＥＤモジュール６、フロントケース３０ａ、メイン液晶モジュール３４及びカバー部材３３が、この順で積層的に配置される。なお、詳述しないが、表示部側筐体３の内部には、メイン液晶モジュール３４やＬＥＤモジュール６等に対して制御、給電などを行う回路基板が配置される。
【００２８】
図３、図６及び図７に示すように、フロントケース３０ａとリアケース３０ｂとは、互いの内面が向き合うように配置された状態で組み合わされて構成される。詳細には、フロントケース３０ａは、表示部側筐体３の前面３ａにおける、カバー部材３３が配置された領域以外の領域を構成する。リアケース３０ｂは、表示部側筐体３の背面３ｂを構成する。
【００２９】
リアケース３０ｂにおける後述する２個の導光部材７，７に対応する位置には、２個の光放射部としての光放射窓３０ｃ、３０ｃが設けられる。光放射窓３０ｃは、表示部側筐体３の背面３ｂ側における幅方向Ｄ２の外側に離間して配置される。光放射窓３０ｃは、リアケース３０ｂに厚み方向Ｄ３に貫通する貫通孔から形成される。光放射窓３０ｃを介して、表示部側筐体３の外部にリアケース３０ｂ側から光を放射することができる。
【００３０】
図３、図４、図６及び図８に示すように、ＬＥＤモジュール６は、表示部側筐体３の内部に配置されるモジュールであり、ＦＰＣ（フレキシブルプリント基板）６１と、コネクタ６２と、ＬＥＤ６３と、を備える。
ＦＰＣ６１は、ＬＥＤ６３を点灯させる電力などを回路基板から伝搬するための基板である。ＦＰＣ６１は、配線部６１ａと、実装部６１ｂとを備える。
【００３１】
コネクタ６２は、配線部６１ａの端部に設けられる。コネクタ６２は、フロントケース３０ａに設けられたコネクタ５３（後述）を介して、回路基板に電気的に接続され、回路基板から供給される電力などをＦＰＣ６１に供給する。
ＬＥＤ６３，６３は、実装部６１ｂにおけるフロントケース３０ａ側の面に、第２方向Ｄ２に離間して２個実装されている。ＬＥＤ６３は、側面発光タイプのＬＥＤからなり、第２方向Ｄ２の外側に向けて放射するように発光することができる。
【００３２】
図３から図７に示すように、フロントケース３０ａは、金属製の板金部材５１と、板金部材５１の一部を覆う樹脂部材５２とが、インサート成形により一体的に成形されて構成される。
樹脂部材５２は、主として、フロントケース３０ａの外周部を枠状に形成する。
板金部材５１は、主として、フロントケース３０ａにおける枠状の樹脂部材５２の内側の部分を形成する。フロントケース３０ａにおけるリアケース３０ｂと対向する面及びカバー部材３３と対向する面の大部分は、板金部材５１から形成される。板金部材５１は、フロントケース３０ａとリアケース３０ｂとが組み合わされた状態の表示部側筐体３の内部において、樹脂部材５２から露出している。
【００３３】
板金部材５１とリアケース３０ｂの内面との間には、ＬＥＤモジュール６等を収容する第１収容空間Ｋ１（図６参照）が形成される。板金部材５１における第１収容空間Ｋ１側には、ＬＥＤモジュール６のコネクタ６２が接続されるコネクタ５３（図４参照）が設けられる。板金部材５１とカバー部材３３の内面との間には、メイン液晶モジュール３４等を収容する第２収容空間Ｋ２（図７参照）が形成される。
【００３４】
板金部材５１は、第１載置部５１ａと、第２載置部５１ｂと、第１載置部５１ａと第２載置部５１ｂとを連結する連結片５１ｃと、を備える。なお、図７は、連結片５１ｃを通るように切断した断面図である。
図３から図５に示すように、第１載置部５１ａは、板金部材５１の大部分を構成する。第１載置部５１ａにおいては、リアケース３０ｂ側の面にＬＥＤモジュール６が載置され、また、カバー部材３３側の面にメイン液晶モジュール３４が載置される。
第２載置部５１ｂは、第１載置部５１ａの第１方向Ｄ１側の端部側（表示部側筐体３の上端部側）に配置し、第１載置部５１ａよりも厚み方向Ｄ３にカバー部材３３側（表示部側筐体３の前面３ａ側）に凹んでいる。
【００３５】
連結片５１ｃは、第２方向Ｄ２に離間して２個設けられ、直角に２回屈曲したクランク形状を有する。クランク形状の連結片５１ｃにより第１載置部５１ａと第２載置部５１ｂとが連結されることで、第１載置部５１ａと第２載置部５１ｂとの間には、表示部側筐体３の厚み方向（板金部材５１の厚み方向）Ｄ３に段差が形成される。換言すると、板金部材５１は、メイン液晶モジュール３４の背面側に回り込むように屈曲している。
第１載置部５１ａと第２載置部５１ｂとの間に厚み方向Ｄ３の段差が形成されることで、第２載置部５１ｂとリアケース３０ｂとの間の第１収容空間Ｋ１の高さを大きくすることができると共に、第１載置部５１ａとカバー部材３３との間の第２収容空間Ｋ２の高さを大きくすることができる。
【００３６】
図３、図６及び図７に示すように、第１収容空間Ｋ１には、ＦＰＣ６１の実装部６１ｂ、ＬＥＤ６３、導光部材７等が収容される。第１収容空間Ｋ１には、第２方向Ｄ２の中央部に、ＦＰＣ６１の実装部６１ｂ及びＬＥＤ６３が配置される。第１収容空間Ｋ１には、第２方向Ｄ２の外側に、それぞれ導光部材７，７が配置される。
【００３７】
導光部材７は、第１収容空間Ｋ１に配置され、ＬＥＤ６３から発光された光を光放射窓３０ｃに導光する。導光部材７は、光放射窓３０ｃに配置する出光部７１と、板金部材５１の第２載置部５１ｂ側に配置する入光部７２と、を備える。導光部材７によれば、ＬＥＤ６３から発光された光を、入光部７２から入光させ、出光部７１から出光させることができる。導光部材７は、透光性を有する透明又は半透明の樹脂からなり、例えば、ポリカーボネートから形成される。
【００３８】
図７に示すように、板金部材５１は、フロントケース３０ａとリアケース３０ｂとが組み合わされた状態の表示部側筐体３の内部において、導光部材７の外面７３に対向している。詳述すると、板金部材５１の連結片５１ｃは、屈曲された屈曲部５１ｄを有するとともに、屈曲部５１ｄを挟んで第１の露出面５１ｅ及び第２の露出面５１ｆを有する。第１の露出面５１ｅは、第１方向Ｄ１及び第２方向Ｄ２に拡がる面であり、第２載置部５１ｂに連続する。第２の露出面５１ｆは、厚み方向Ｄ３に拡がる面である。
【００３９】
また、導光部材７は、第１の露出面５１ｅに対向する第１の外面７３ａと、第２の露出面５１ｆに対向する第２の外面７３ｂと、を有する。第１の外面７３ａは、第１方向Ｄ１及び第２方向Ｄ２に拡がる面であり、この面は、全て第１の露出面５１ｅにて覆われる。第２の外面７３ｂは、厚み方向Ｄ３に拡がる面であり、この面は、全て第２の露出面５１ｆにて覆われる。
【００４０】
一方、表示部側筐体３の内部において導光部材７の外面に対向する板金部材５１に隣接する領域（以下「板金隣接領域」ともいう）には、樹脂からなる部材が配置される。本実施形態においては、板金隣接領域には、「樹脂からなる部材」として、リアケース３０ｂの樹脂部分からなる壁部３０ｄが設けられる。壁部３０ｄは、導光部材７に対して、表示部側筐体３の第１方向Ｄ１の上端部側に配置される。
なお、ここでいう「樹脂からなる部材」は、フロントケース３０ａにおける樹脂部材５２から構成することもできる。
【００４１】
本実施形態の携帯電話機１においては、例えば、以下のように、イルミネーションを実現することができる。
図６に示すように、ＬＥＤ６３から発光された光Ｌの一部は、例えば、板金部材５１の第２載置部５１ｂに向けて斜めに進行し、第２載置部５１ｂにおいて反射する。そして、第２載置部５１ｂにおいて反射した光Ｌは、入光部７２から導光部材７の内部に入光し、出光部７１から導光部材７の外部に出光する。このようにして、光放射窓３０ｃから光が放射され、本実施形態の携帯電話機１においてイルミネーションが実現される。
【００４２】
本実施形態の携帯電話機１によれば、以下に示す各効果が奏される。
本実施形態においては、板金部材５１は、リアケース３０ｂとフロントケース３０ａとが組み合わされた状態の表示部側筐体３の内部において、樹脂部材５２から露出しているとともに導光部材７の外面７３に対向している。そのため、図６に示すように、導光部材７から放射される光Ｌを、板金部材５１によって確実に遮光すると共に、効率的に反射させることができる。
【００４３】
従って、例えば、板金部材５１を遮光のための部材として活用することができ、また、ＬＥＤ６３や導光部材７が収容される第１収容空間Ｋ１の高さを大きく確保することができるため、表示部側筐体３の薄型化を図ることができる。また、表示部側筐体３の内部のＬＥＤ６３から発光された光が表示部側筐体３における光の放射を意図しない面（例えば、前面３ａ）から漏れにくく、発光効率を向上させることができる。
【００４４】
また、本実施形態においては、板金部材５１における屈曲部５１ｄを挟む第１の露出面５１ｅ及び第２の露出面５１ｆによって、導光部材７から放射される光が効率的に反射される。そのため、優れた発光効率が得られる。
【００４５】
また、本実施形態においては、板金部材５１は、メイン液晶モジュール３４の背面側に回り込むように屈曲している。そのため、メイン液晶モジュール３４と導光部材７とを表示部側筐体３の長手方向Ｄ１に配列させることができ、表示部側筐体３の薄型化を図ることができる。
【００４６】
また、本実施形態においては、表示部側筐体３の内部において導光部材７の外面７３に対向する板金部材５１に隣接する領域には、樹脂からなる部材（壁部）３０ｄが配置される。そのため、導光部材７から樹脂からなる部材３０ｄに向かう光の一部は、樹脂からなる部材３０ｄに吸収される。従って、ＬＥＤ６３から発光された光が表示部側筐体３における光の放射を意図しない側（例えば、表示部側筐体３の長手方向Ｄ１の上端部側）から漏れにくい。
【００４７】
以上、本発明の一実施形態について説明したが、本発明は、前述した実施形態に制限されるものではなく、適宜変更が可能である。
例えば、前記実施形態においては、本発明の構成を表示部側筐体３に適用しているが、これに制限されず、操作部側筐体２に適用することもできる。
発光部は、ＬＥＤ６３に制限されない。
光放射部３０ｃは、貫通孔からなる光放射窓に制限されず、透明部材から形成することができる。
【００４８】
また、本発明の携帯電子機器は、前記実施形態のような折り畳み式ではなく、操作部側筐体２と表示部側筐体３とを重ね合わせた状態から一方の筐体を一方向にスライドさせるようにしたスライド式の携帯電子機器であってもよい。また、本発明の携帯電子機器は、操作部側筐体２と表示部側筐体３との重ね合せ方向に沿う軸線を中心に一方の筐体を回転させるようにした回転式（ターンタイプ）の携帯電子機器であってもよい。
【００４９】
本発明は、携帯電話機以外の携帯電子機器に適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、デジタルカメラ、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
【符号の説明】
【００５０】
２  操作部側筐体
３  表示部側筐体（筐体）
７  導光部材
１１  操作キー群（操作部）
３０ａ  フロントケース（第２のケース）
３０ｂ  リアケース（第１のケース）
３０ｃ  光放射窓（光放射部）
３０ｄ  壁部（樹脂からなる部材）
３４  メイン液晶モジュール（ディスプレイモジュール）
３４ａ  メイン表示部（表示部）
５１  板金部材
５１ｄ  屈曲部
５１ｅ  第１の露出面
５１ｆ  第２の露出面
５２  樹脂部材
６３  ＬＥＤ（発光部）
７３  外面
７３ａ  第１の外面
７３ｂ  第２の外面
Ｌ  光
【図１】
2010226551.tif 000003
【図２】
2010226551.tif 000004
【図３】
2010226551.tif 000005
【図４】
2010226551.tif 000006
【図５】
2010226551.tif 000007
【図６】
2010226551.tif 000008
【図７】
2010226551.tif 000009
【図８】
2010226551.tif 000010